(57)【特許請求の範囲】
【請求項１】
内部の冷気循環用ファンにより、外部に冷気を送風すると同時に戻り風路からの戻り空気を吸い込み循環を行う冷蔵庫等のファングリルにおいて、
当該ファングリルを前記冷蔵庫等の本体に締結する熱可塑性形状記憶樹脂製の固定手段と、
この固定手段挿入のための外周に形成されたフランジと、
各フランジに設けられ、切り離し用の打ち抜きのスリットと、
前記フランジ同志を接続する連結手段と、
を備え、当該ファングリルの締結の解除時、一つのフランジを切り離してから順番に全てのフランジを切り離していくことを特徴とするファングリル。
【請求項２】
前記固定手段手段はリベットで構成されたことを特徴とする請求項１記載のファングリル。
【請求項３】
前記連結手段はナイロン糸で構成されたことを特徴とする請求項１又は請求項２記載のファングリル。
【発明の詳細な説明】
【０００１】
【発明の属する技術分野】
この発明は冷蔵庫等に係り、庫内部品を締結する締結部材であるリベットの締結の解除方法の改良とその使用材料に関するものである。
【０００２】
【従来の技術】
冷蔵庫の庫内を構成する部品には、部品同志を数点組み合わせて取付けるものや、単体部品だけで取付けるものがあり、従来のものの固定方法は、ネジ、リベット及びツメにより部品の結合を行っている。
例えば、図１３は従来の冷蔵庫のネジ結合の構造を示す断面図である。図に示すように、冷蔵庫の庫内を構成する部品の締結には、ネジ結合の場合は締結治具、またはネジ回し等の道具を使用する必要がある。その結合力はネジが締め込まれていくことで、ネジの座面とネジ山が部品締結部と密着することによる接触圧力である。
【０００３】
また、図１４は従来のリベット結合の構造を示す断面図である。図に示すようにリベット結合では、挿入すると先端部が突起状になるスリットを有する筒状嵌合部３とその中にピン４が存在する２部品構成であり、その締結作業に特に道具を使う必要はないが、その結合力はネジの場合と同様に、リベットを押し込んだ時、飛び出る突起と部品締結部との接触圧力に依存する。
【０００４】
これらの結合力は部品が簡単に外れては製品が機能しないため、その締結には強い締め付けトルクや力を必要とし、締結を解除するためには必ず道具を使用し、締結作業と同様に大きなトルクと力が必要である。
【０００５】
また、冷蔵庫の部品は少なからず一部分のみではなく、その部品外周部に数箇所固定するケースが多いため全ての箇所を外す必要があり、そのため作業効率が低下する。
【０００６】
【発明が解決しようとする課題】
従来の冷蔵庫の庫内を構成する部品の固定方法において、素手で固定を解除するには、例えばネジ締めの場合には締め付けトルクが大きいので不可能である。ネジ回し等の道具を使用しても、解除をするには締結作業と同様に大きなトルクと力が必要である。
【０００７】
また、リベットの場合にはその接触圧力で部品同志が密着しているので簡単には引き抜けない。この締結を解除するにはリベットのピンと、その外側にある先端部がスリット構造を持つ筒状嵌合部を引き抜くために、一文字のねじ回しの様に先端の尖った道具が必要である。
【０００８】
以上のように、ネジ結合及びリベット結合のいずれの場合においても、１〜２分の作業時間を要し専用工具の使用が不可欠となる。
【０００９】
この発明は、部品の締結および解除に専用工具を使用する必要がなく、冷蔵庫の解体分離作業において作業の効率化を図ると共に、部品の分別作業の効率化によりリサイクル性も向上させることを目的とする。
【００１０】
【課題を解決するための手段】
この発明に係る締結部材は、被締結材との締結の解除が可能なように記憶させた形状に加熱状態で成形された後、それより低温状態で被締結材との締結ができる形状に成形され、被締結材との締結を行う場合は被締結材に圧入され、被締結材との締結の解除を行う場合は記憶された形状を復元する復元温度に加熱され、熱可塑性形状記憶樹脂で構成されたものである。
【００１１】
また、ドライヤー等の熱源により加熱するものである。
【００１２】
また、赤外線を照射することにより加熱するものである。
【００１３】
また、マイクロ波を照射することにより加熱するものである。
【００１４】
また、リベットで構成されたものである。
【００１５】
また、先端部にスリットを備えたものである。
【００１６】
また、締結部に突起を備えたものである。
【００１７】
また、熱可塑性形状記憶樹脂をスチレンモノマー又はブタジェンモノマーで構成したものである。
【００１８】
この発明に係る締結部材の製造方法は、請求項１記載の締結部材の製造方法であって、予め所定温度で加熱し記憶させたい形状に変形させる工程と、所定温度以下で製品形状に加圧変形する工程と、を備えたものである。
【００１９】
この発明に係るファングリルは、内部の冷気循環用ファンにより、外部に冷気を送風すると同時に戻り風路からの戻り空気を吸い込み循環を行う冷蔵庫等のファングリルにおいて、熱可塑性形状記憶樹脂製の固定手段と、この固定手段挿入のための外周に形成されたフランジと、各フランジに設けられ、切り離し用の打ち抜きのスリットと、フランジ同志を接続する連結手段と、を備え、ファングリルの締結の解除時、一つのフランジを切り離してから順番に全てのフランジを切り離していくものである。
【００２０】
また、固定手段はリベットで構成されたものである。
【００２１】
また、連結手段はナイロン糸で構成されたものである。
【００２２】
【発明の実施の形態】
以下、この発明の実施の形態を図面を参照して説明する。
実施の形態１．
図１〜６は実施の形態１を示す図で、図１は先端部のスリットが４分割の例を示す外観図、図２は形状記憶樹脂のリベットの形状変化のフローを示す図、図３はリベットの結合状態を示す断面図、図４は同リベットの分離状態を示す断面図、図５は先端部のスリットが５分割の例を示す外観図、図６は先端部のスリットが６分割の例を示す外観図である。
【００２３】
図１に示すように、締結部材であるリベットの先端部のスリット１が４分割されている。このリベットの材料は、例えば熱可塑性形状記憶樹脂の一種、スチレンモノマー、ブタジェンモノマーからなる。
【００２４】
図２に各ドキュメントにおけるリベット形状の変化の流れを示すが、製品製造には一次加工として予めある温度で加熱し記憶させたい形状に変形させ後、二次加工で一次加工の加熱温度以下で加圧変形する。この形状がリベットとしての形状であり、冷蔵庫の庫内部品の取付け時に使用する。
【００２５】
この締結構造は、図３に示すように被締結材の穴を介してリベットの座面まで深く挿入することで被締結材の締結部とリベットの突起との接触圧力により固定される。その後、冷蔵庫を廃棄する際には庫内の温度上昇を猶予する必要はないため、部品の取り外しおよび解体作業においてこのリベットの飛び出た頭部周辺をドライヤー等の熱源により加熱することで温度上昇が起こり一次加工時の変形温度（復元温度）に到達することで、図４に示すように元のピン形状が復元し突起２がなくなることで被締結材の締結が解除される。
【００２６】
また、リベットを元の記憶されたピン形状に復元させるのに赤外線を照射することで、その熱エネルギーがリベットに吸収され輻射による発熱現象により温度上昇が起こることで復元温度に達する。
【００２７】
あるいは、マイクロ波を照射することで、そのリベット内部の分子運動が励起しその運動エネルギーの増加から発熱し復元温度に達することで締結が解除される。
【００２８】
リベットの形状においても、図５に示すようにリベットの先端部のスリット１が５分割、または、図６に示すように６分割にすることで、部品取付時のリベットの挿入性の改善を図ることも可能である。
【００２９】
上述の実施の形態では、締結部材としてリベットについて説明したが、リベットに限定されるものではない。
【００３０】
実施の形態２．
図７〜１２は実施の形態２を示す図で、図７は冷蔵庫冷凍室内の背面構造を示す断面図、図８はファングリルの冷蔵庫内箱との固定方法を示す正面図、図９はファングリルのフランジがスリット構造を示す拡大図、図１０はファングリルのフランジとリベットとの結合状態を示す同断面図、図１１はリベットの結合を解除する際のファングリルの加熱方法を示す図、図１２はファングリルの固定を一度に解除できる動作を示す図である。
【００３１】
冷蔵庫の解体時に特にその取外し性が困難である部品にファングリルと呼ばれるものがあり、ファングリルは冷蔵庫の冷却機能の核となる冷凍室庫内背面に位置する。この部品はその外周部に数箇所、庫内内箱背面と確実に密着するようにネジにより固定されている。この部品の機能は冷蔵庫庫内の冷気循環を目的としており、図７に示すようにその内部には冷気循環用のファン５を備え、モーター６の駆動力を伝えることで回転し、庫内に冷気を送風すると同時に戻り風路からの戻り空気を吸い込み循環を完了する。
【００３２】
ファングリル７と内箱背面８には空間があり、その中に熱交換器が冷却器９として備え付けられている。冷却器９とは冷蔵庫の冷凍サイクルの構成部品である熱交換器の一種でその形態は銅パイプがある長さで直線部とＵ字曲げの部分で結合され、その周りに薄い金属の小片が均一な間隔で取付けられている部品であり、他の冷凍サイクルを構成する銅パイプ１０と溶接により結合している。
【００３３】
冷蔵庫の廃棄解体作業では、その構成部品をまずプラスチック、ゴム、金属等、材料毎に分別する必要があるが、金属の中で銅のリサイクル率が高いため冷却器は重要な再生資材である。このため、冷却器９の取外し作業の簡略化は必要不可欠な問題であるが現在の既存する技術では銅パイプとの結合を溶接以外で代替することが不可能である。
【００３４】
そこで、冷却器９の取外しにはまずファングリル７を外す必要があるのでこのファングリル７を簡単に外すことで全体の作業時間短縮を図る。図８に示すようにファングリル７の固定にはその外周部が４〜６箇所の飛び出した形状のフランジ１１があり、ネジ穴が開けられているので、この部分にに取付用の締結具（ネジまたは、リベット）を差し込む方法が採られている。
【００３５】
その解除には締結している全てのフランジ１１について個別に取外し作業を行うがその簡略のため、前述する実施の形態１の熱可塑性形状記憶樹脂のリベットを用いると共にファングリル外周フランジに、リベットを引抜く時、固定する全てのリベットが一度に分離する機能を持たせるため、各フランジ１１に切り離し用の打ち抜きのスリットを設けそのフランジ同志をナイロン糸によって接続することにより一つのフランジ１１を切り離してから順番に全てのフランジ１１を切り離していく。その結果、ファングリル７の締結が解除され取外しが可能となる。
【００３６】
次に動作を図９，１０により以下に説明する。
フランジ１１の裏面にナイロン糸１４が埋め込まれ、フランジ１１と一体化している。このナイロン糸１４はをフランジ１１のスリット１２を分離できる力で張力が与えられた時に切れることのない充分な引張強度を持っているが、図１１に示すように締結している全てのリベットの温度がその復元温度に達するために、ファングリル７の前面部１５を均一に加熱することや赤外線またはマイクロ波の照射を行った後、図１２のように、初めに切離す基準のフランジが切離されてから、反時計方向に回転するように残りのフランジ１１を次々に切離していくと締結している全てのリベットが引抜かれる事で、ファングリル７の固定が解除される。
【００３７】
【発明の効果】
この発明に係る締結部材は、被締結材との締結の解除が可能なように記憶させた形状に加熱状態で成形された後、それより低温状態で被締結材との締結ができる形状に成形され、被締結材との締結を行う場合は被締結材に圧入され、被締結材との締結の解除を行う場合は記憶された形状を復元する復元温度に加熱され、熱可塑性形状記憶樹脂で構成されたことにより、締結およびその解除に専用工具が不要であり、機器の解体分離作業の効率化が図れると共に部品の分別作業の効率化によりリサイクル性も向上する。
【００３８】
また、締結部材は先端部にスリットを備えたことにより、部品取付時の締結部材の挿入性の改善を図ることができる。
【００３９】
また、締結部材は締結部に突起を備えたことにより、確実に被締結材の締結を行うことができる。
【００４０】
この発明に係る締結部材の製造方法は、予め所定温度で加熱し記憶させたい形状に変形させる工程と、所定温度以下で製品形状に加圧変形する工程と、を備えたことにより、復元温度に加熱することにより記憶された形状を復元することができる。
【００４１】
この発明に係るファングリルは、熱可塑性形状記憶樹脂製の固定手段と、この固定手段挿入のための外周に形成されたフランジと、各フランジに設けられ、切り離し用の打ち抜きのスリットと、フランジ同志を接続する連結手段と、を備えたことにより、ファングリルの締結の解除時、一つのフランジを切り離してから順番に全てのフランジを切り離していくので、機器の取外し作業の簡略化が図れる。
【図面の簡単な説明】
【図１】  実施の形態１を示す図で、先端部のスリットが４分割の例を示す外観図である。
【図２】  実施の形態１を示す図で、形状記憶樹脂のリベットの形状変化のフローを示すっずである。
【図３】  実施の形態１を示す図で、リベットの結合状態を示す断面図である。
【図４】  実施の形態１を示す図で、リベットの分離状態を示す断面図である。
【図５】  実施の形態１を示す図で、先端部のスリットが５分割の例を示す外観図である。
【図６】  実施の形態１を示す図で、先端部のスリットが６分割の例を示す外観図である。
【図７】  実施の形態２を示す図で、冷蔵庫冷凍室内の背面構造を示す断面図である。
【図８】  実施の形態２を示す図で、ファングリルの冷蔵庫内箱との固定方法を示す正面図である。
【図９】  実施の形態２を示す図で、ファングリルのフランジがスリット構造である例を示す拡大図である。
【図１０】  実施の形態２を示す図で、ファングリルのフランジとリベットとの結合状態を示す同断面図である。
【図１１】  実施の形態２を示す図で、リベットの結合を解除する際のファングリルの加熱方法を示す図である。
【図１２】  実施の形態２を示す図で、ファングリルの固定を一度に解除できる例の動作を示す図である。
【図１３】  従来のネジ結合の構造を示す断面図である。
【図１４】  従来のリベット結合の構造を示す断面図である。
【符号の説明】
１  スリット、２  突起、５  ファン、６  ファンモータ、７  ファングリル、８  内箱背面、９  冷却器、１０  銅パイプ、１１  フランジ、１２  スリット、１３  リベット、１４  ナイロン糸、１５  前面部。
【図１】
0004197210.tif 000002
【図２】
0004197210.tif 000003
【図３】
0004197210.tif 000004
【図４】
0004197210.tif 000005
【図５】
0004197210.tif 000006
【図６】
0004197210.tif 000007
【図７】
0004197210.tif 000008
【図８】
0004197210.tif 000009
【図９】
0004197210.tif 000010
【図１０】
0004197210.tif 000011
【図１１】
0004197210.tif 000012
【図１２】
0004197210.tif 000013
【図１３】
0004197210.tif 000014
【図１４】
0004197210.tif 000015